(57)【要約】【課題】屋内の工事を光技術を必要としない工事業者に対応させられるとともに、光・同軸複合ケーブルを一本通線するだけで通信と放送とを同時に施工でき効率的な配線工事を実現することができる光・同軸複合コンセントを提供する。【解決手段】光・同軸複合コンセントＡは、光ファイバのインドアケーブル１と、同軸ケーブル２とを挿通部２７から挿通し、挿通した光ファイバのインドアケーブル１に接続された光ファイバジャック３を装着する装着部１６と、同軸ケーブル２に接続されたＦ型接栓４を装着する装着部１７と、各装着部１６、１７と挿通部２７との間には光ファイバのファイバ心線１８を最小曲半径以上に保持する曲案内壁２０とを設け、挿通部２７には各ケーブル１、２を挿通させて内外部間を気密状態に保つ気密ブッシング２６と、気密ブッシング２６に連続して各ケーブルを把持する把持部材２５とを配置した。【選択図】図１
2008027651.tif 000002
【特許請求の範囲】
【請求項１】
分電盤内又は屋内壁面に取り付ける光・同軸複合コンセントであり、該光・同軸複合コンセントはケースと内カバーと化粧カバーとからなり、光ファイバのインドアケーブルと、同軸ケーブルとを挿通部から挿通し、挿通した上記光ファイバのインドアケーブルに接続された光ジャックを装着する装着部と、上記同軸ケーブルに接続されたＦ型接栓を装着する装着部と、各装着部と上記挿通部との間には上記光ファイバのファイバ心線を最小曲半径以上に保持する曲案内壁をと設け、上記挿通部には上記各ケーブルを挿通させて内外部間を気密状態に保つ気密ブッシングと、該気密ブッシングに連続して上記各ケーブルを把持する把持部材とを配置し、上記ケースと内カバーとで上記光ジャックとＦ型接栓とを固定したことを特徴とする光・同軸複合コンセント。
【請求項２】
前記インドアケーブルと同軸ケーブルとは光ファイバインドアケーブル１芯と同軸ケーブル１芯の複合ケーブルで構成した、請求項１記載の光・同軸複合コンセント。
【発明の詳細な説明】
【技術分野】
【０００１】
本発明は、光・同軸複合コンセント、詳しくは予め光ファイバと同軸ケーブルとが取り付けられたコンセントに関するものである。
【背景技術】
【０００２】
近年都市部のみならず地方自治体等において地域ぐるみのＦＴＴＨ化が進められてきている中で、行政の告知放送受信端末設置工事と同時にＣＡＴＶ事業を光ファイバ回線を利用して実施することが発案されている。光ファイバケーブルの先行配線に際しては、現場で光ファイバ心線にコネクタを装着した後、コネクタ端面を高精度に研磨する作業が必要であった。そのためには、特殊工具が必要となり、しかもその研磨作業を高精度に行なうにはある程度の熟練が必要になり、電気工事業者の誰もが光ファイバケーブルの先行配線を扱えるとは限らないため、光ファイバケーブルの先行配線を扱える作業者不足と、特殊工具の購入コストとが、先行配線の普及促進の障害となることは否めなかったため、容易に光ファイバーケーブルの先行配線ができる方法が本出願人より提案されている（例えば、特許文献１）。
【特許文献１】特開２００５−１８９５３１号公報
【発明の開示】
【発明が解決しようとする課題】
【０００３】
本発明が解決しようとする問題点は、光ファイバーケーブルの先行配線はできるが同軸ケーブルの先行配線を行なうためには別途、同軸ケーブルの配線工事をしなければならず工事が２度手間になる点であり、特に地方自治体においては、住宅密集地以外の過疎地における光配線工事の効率的な普及が要求されている点であった。
【０００４】
本発明は、上記問題点を解決し、工場内で予めケーブル付配線器具を製造し、屋内から屋外へ逆引きにて屋内配線工事を完了させることにより、屋内の工事を光技術を必要としない工事業者にも対応させることができるとともに、光・同軸複合ケーブルを一本通線するだけで通信と放送とを同時に施工でき効率的な配線工事を実現することができる光・同軸複合コンセントを提供することを課題とする。
【課題を解決するための手段】
【０００５】
前記課題を解決するために本発明に係る光・同軸複合コンセントは、分電盤内又は屋内壁面に取り付ける光・同軸複合コンセントであり、該光・同軸複合コンセントはケースと内カバーと化粧カバーとからなり、光ファイバのインドアケーブルと、同軸ケーブルとを挿通部から挿通し、挿通した上記光ファイバのインドアケーブルに接続された光ジャックを装着する装着部と、上記同軸ケーブルに接続されたＦ型接栓を装着する装着部と、各装着部と上記挿通部との間には上記光ファイバのファイバ心線を最小曲半径以上に保持する曲案内壁をと設け、上記挿通部には上記各ケーブルを挿通させて内外部間を気密状態に保つ気密ブッシングと、該気密ブッシングに連続して上記各ケーブルを把持する把持部材とを配置し、上記ケースと内カバーとで上記光ジャックとＦ型接栓とを固定したことを特徴とする。
【０００６】
なお、前記インドアケーブルと同軸ケーブルとは光ファイバインドアケーブル１芯と同軸ケーブル１芯の複合ケーブルで構成し、一本の複合ケーブルで通線できるようにすることが好ましい。
【発明の効果】
【０００７】
請求項１の発明によれば、屋外工事は住居者の都合に関係なく進捗できるという利点があるので屋外工事は光接続というスキルを有する工事業者を有効に活用することができ、屋内工事は光接続というスキルを有しない電気工事業者を活用できるので、工事が集中しても業者が分担して対応することが可能な複合コンセントを提供することができる。
【０００８】
請求項２の発明によれば、光・同軸複合ケーブル一本を通線するだけで通信と放送とを同時に施工できるので施工費用の低減化と作業効率の向上を図ることができる。
【発明を実施するための最良の形態】
【０００９】
図１（ａ）（ｂ）は本発明に係る光・同軸複合コンセントＡの正面側斜視図及び背面側斜視図を示し、図２は光・同軸複合コンセント（以下、複合コンセントという）Ａの分解斜視図を示す。この複合コンセントＡは分電盤内又は屋内壁面に設置することができるように構成されているものである。この複合コンセントＡは光ファイバのインドアケーブル１と同軸ケーブル２とが予め取り付けられ、この光ファイバのインドアケーブル１と同軸ケーブル２とに取り付けられた光ファイバジャック３とＦ型接栓４とが複合コンセントＡの底面に露出し、光ファイバの光接続に対する技術のない工事業者であっても容易に設置できるようにしたもので、光ファイバのインドアケーブル１芯と同軸ケーブル１芯とからなる一本の複合ケーブルＢの端末を光ファイバのインドアケーブル（以下、インドアケーブルという）１と同軸ケーブル２とに分離するとともに、その先端部に光ファイバジャック３とＦ型接栓４とを接続し、その光ファイバジャック３とＦ型接栓４を複合コンセントＡ内に収め、且つ、インドアケーブル１と同軸ケーブル２とを複合コンセントＡの底部から引き出したもので、このケーブルの長さは１０〜３０メートルの長さで設定した複数種類の複合コンセントＡを工場内で作成し、設置現場の状況に応じたケーブル長の複合コンセントＡを供給できるようにしたものである。
【００１０】
上記複合コンセントＡは、ケース１０と、ケース１０の上に被せる内カバー１１と、その上から塵埃などの影響を受けないようにするための化粧カバー１２とから構成され、ケース１０は分電盤や屋内壁面にネジで固定することができるようにネジ穴１５が形成され、光ファイバジャック３を装着する装着部１６と、Ｆ型接栓４を装着する装着部１７と、ファイバ心線を最小曲半径以上に保持する曲案内壁２０と、インドアケーブル１及び同軸ケーブル２を把持する把持部材２５及び防塵・気密用の気密ブッシング２６を収容し、インドアケーブル１及び同軸ケーブル２をケース１０内に挿通させる挿通部２７とが設けられている。そして、底面には挿通部２７にケーブル１、２を挿通させる挿通孔２８、光ファイバジャック３にファイバープラグを差し込む為の差込穴２９、Ｆ型接栓４の先端を突出させる切欠き３０が形成されている。
【００１１】
把持部材２５は側面視コ字状に折り曲げ形成された金属で前後面にはＵ字状の切込み３１が形成され、ケーブル１、２の被覆部分に噛み込んで把持し、ケーブル１、２がずれないようにするもので、気密ブッシング２６はゴムなどの弾性部材で前後方向にケーブルを挿通させる挿通孔３２が形成され、挿通部２７の把持部材２５の外側に配置することによりケース１０内部に塵埃などが侵入しないようにするものである。
【００１２】
そして、曲案内壁２０は所定間隔をおいて並設した内壁２１と外壁２２とで構成され、内壁２１は半径が光ファイバ心線１８の許容される最小曲寸法Ｒ１５以上を確保するように略円形状に形成され、外壁２２は半円形に形成されるとともに両端はケースの下方に向かって略直線状に延出した直壁２２ａ、２２ｂが形成され、一方の直壁２２ａは挿通部２７の壁面に到達し、入力側のインドアケーブル１と同軸ケーブル２とを曲案内壁２０に個別に案内するガイド壁を構成し、他方の直壁２２ｂは内壁２１から下方に向かって突出して形成された壁２３とで光ファイバジャック３を装着する装着部１６を構成している。
【００１３】
内カバー１１は、板状で表面側には４つの係止部３５が突出して形成され、孔３６を通してネジ３７でケース１０に固定することができ、固定時にはケース１０の前面を塞ぐことができるようになっている。そして、下端には、ケース１０の挿通部２７を塞ぐ張出部４０と同軸ケーブルのＦ型接栓４を固定する張出部４１が形成され、張出部４０には挿通孔２８の一端が形成されている。また、張出部４１には挿通孔３０の一端が形成されている。
【００１４】
化粧カバー１２は裏面側に内カバー１１の係止部３５に係止するフック（図示せず）が突出して形成され、内カバー１１に重ねた状態で上から押し付けることによりフックが内カバー１１の係止部３５に係止され、内カバー１１の前面を覆うとともに内カバー１１を介してケース１０に固定できるようになっている。
【００１５】
上記構成の複合コンセントは、インドアケーブル１芯と同軸ケーブル１芯の複合ケーブルＢの端末をインドアケーブル１と同軸ケーブル２とに分離するとともに、気密ブッシング２６の挿通孔３２を挿通させ、それぞれの先端部に光ファイバジャック３とＦ型接栓４とを接続しておく。
【００１６】
次に、光ファイバジャック３を装着部１６に、Ｆ型接栓４を装着部１７にそれぞれ嵌め込んで装着した後に内壁２１に沿ってインドアケーブル１を、外壁２２に沿って同軸ケーブル２を引き回し、挿通部２７に配置された把持部材２５の切込み３１に各ケーブル１、２を差し込みながら気密ブッシング２６を挿通部２７に収容し、図３（ａ）（ｂ）に示すように、ケース１０に光ファイバジャック３が取り付けられたインドアケーブル１とＦ型接栓４が取り付けられた同軸ケーブル２を収容する。
【００１７】
次に、内カバー１１をケース１０に重ね合わせ、ネジ３７で固定することにより、ケース１０を内カバー１１で密閉するとともに、内カバーの張出部４０でケース１０の挿通部２７を塞ぐとともに張出部４１で同軸ケーブルのＦ型接栓４を固定することができる。
【００１８】
そして、内カバー１１に化粧カバー１２を重ね合わせ、上から押し付けるとフックが内カバー１１の係止部３５に係止させ、化粧カバー１２を内カバー１１に固定すると、図１（ａ）に示すように、複合コンセントＡの下部から光ファイバジャック３とＦ型接栓４が露出するとともに、複合ケーブルＢが取り付けられた複合コンセントＡを組み上げることができる。
【００１９】
この組み上げは工場で行い、所定の長さの複合ケーブルＢが取り付けられた状態の複合コンセントＡが出荷されるようにすればよい。
【００２０】
次に、上述の複合コンセントＡの設置について説明する。屋外の工事は電柱まで配線された光ケーブル４３に光ファイバドロップケーブル４１を柱上で接続して引き下ろし、屋側に設置したＶ−ＯＮＵ４２内に引き込んでおく。
【００２１】
次に住居者の都合にあわせて宅内配線工事を行う。その手順は上述したように光・同軸複合コンセントＡを壁面に設置し、複合コンセントＡから出ている複合ケーブルＢを同時に壁内配管経路内を経由して屋外まで引き出し、Ｖ−ＯＮＵ４２内へ複合ケーブルＢの端部を引き込み、複合ケーブルＢの先端をインドアケーブル１と同軸ケーブル２とに分離し、分離した一方の同軸ケーブル２の端部にはＦ型接栓用コネクタを接続しておく。ここまでの工事は光接続の高度な技術を必要としないので一般の電気工事業者で工事が可能である。
【００２２】
その後、光接続の工事を行なえる技術を有する工事業者が屋外の工事として最初に引き込んであった光ファイバドロップケーブル４１をＶ−ＯＮＵ４２内でＶ−ＯＮＵ４２の光ファイバ線と屋内からの複合ケーブルＢのインドアケーブル１とを２芯一括で光融着接続にて接続し、Ｖ−ＯＮＵ４２のＦ型接栓に先程同軸ケーブル２に取り付けたＦ型接栓用コネクタを差込接続して工事を完了させればよい。
【００２３】
上述したように、本発明の複合コンセントによれば、ＦＴＴＨの設置工事を屋内と屋外とでそれぞれ別の工事業者で行なうことができ、光接続のスキルを有する工事業者と、光接続のスキルを有しない工事業者とがそれぞれ対応することが可能になり、限られた数の工事業者で集中して設置工事をする際に最適なコンセントを提供することができる。
【図面の簡単な説明】
【００２４】
【図１】本発明に係る複合コンセントの正面側斜視図及び背面側斜視図
【図２】上記複合コンセントの分解斜視図
【図３】ケースに光ケーブルと同軸ケーブルを収容した状態を説明する正面図及び正面側斜視図
【図４】上記複合コンセントの設置状態の説明図
【符号の説明】
【００２５】
１    光ファイバインドアケーブル
２    同軸ケーブル
３    光ファイバジャック
４    Ｆ型接栓
１０    ケース
１１    内カバー
１２    化粧カバー
１６    装着部
１７    装着部
２０    曲案内壁
２５    把持部材
２６    気密ブッシング
２７    挿通部
Ａ    光・同軸複合コンセント
【図１】
2008027651.tif 000003
【図２】
2008027651.tif 000004
【図３】
2008027651.tif 000005
【図４】
2008027651.tif 000006